(57)【要約】  本発明の実施例はコンテキスト設定情報の取得方法、端末装置及びアクセスネットワーク機器に関するものであり、該方法は、端末装置は、ネットワークノードを示すためのネットワークノード情報を含む接続回復要求メッセージを確定し、該ネットワークノードに該ネットワークノードのカバレッジ範囲内のすべての端末装置のコンテキスト設定情報が保存され、該端末装置が該ネットワークノードのカバレッジ範囲内にあることと、該端末装置は、該アクセスネットワーク機器へ該接続回復要求メッセージを送信することと、を含む。本発明の実施例におけるコンテキスト設定情報の取得方法、端末装置及びアクセスネットワーク機器において、端末装置は、所在するページング領域内の任意のアクセスネットワーク機器へネットワークノード情報を含む接続回復要求メッセージを送信し、該アクセスネットワーク機器に該端末装置のコンテキスト設定情報を取得させることができ、それにより該アクセスネットワーク機器と該端末装置との接続の回復又は確立を実現する。
2020519079.tif 000002
【特許請求の範囲】
【請求項１】
コンテキスト設定情報の取得方法であって、
端末装置は、前記端末装置がアクセスネットワーク機器との接続を回復又は確立するように要求するための接続回復要求メッセージを確定し、前記接続回復要求メッセージがネットワークノードを示すためのネットワークノード情報を含み、前記ネットワークノードに前記ネットワークノードのカバレッジ範囲内のすべての端末装置のコンテキスト設定情報が保存され、前記端末装置が前記ネットワークノードのカバレッジ範囲内にあることと、
前記端末装置は、前記アクセスネットワーク機器へ前記接続回復要求メッセージを送信することと、を含むことを特徴とする、前記コンテキスト設定情報の取得方法。
【請求項２】
前記ネットワークノード情報は、前記ネットワークノードの識別子であることを特徴とする
請求項１に記載の方法。
【請求項３】
前記ネットワークノード情報は、前記端末装置の所在するページング領域の識別子を含み、前記ページング領域と前記ネットワークノードとが対応関係を有することを特徴とする
請求項１に記載の方法。
【請求項４】
前記方法は、更に、
前記端末装置は、前記ネットワークノードから送信された前記ネットワークノード情報を受信することを含むことを特徴とする
請求項１〜３のいずれか１項に記載の方法。
【請求項５】
前記ネットワークノードがアンカーアクセスネットワーク機器又はコアネットワーク機器であることを特徴とする
請求項１〜４のいずれか１項に記載の方法。
【請求項６】
コンテキスト設定情報の取得方法であって、
アクセスネットワーク機器は、端末装置から送信された、前記端末装置が前記アクセスネットワーク機器との接続を回復又は確立するように要求するための接続回復要求メッセージを受信し、前記接続回復要求メッセージがネットワークノード情報を含む、ことと、
前記アクセスネットワーク機器は、前記ネットワークノード情報に基づき、ネットワークノードを確定し、前記ネットワークノードが、前記ネットワークノードのカバレッジ範囲内のすべての端末装置のコンテキスト設定情報を保存することに用いられ、前記端末装置が前記ネットワークノードのカバレッジ範囲内にあり、前記コンテキスト設定情報が、前記アクセスネットワーク機器と前記端末装置との接続を回復又は確立することに用いられることと、
前記アクセスネットワーク機器は、前記ネットワークノードから前記コンテキスト設定情報を取得することと、を含むことを特徴とする、前記コンテキスト設定情報の取得方法。
【請求項７】
前記ネットワークノード情報は、前記ネットワークノードの識別子であることを特徴とする
請求項６に記載の方法。
【請求項８】
前記ネットワークノード情報は、前記端末装置の所在するページング領域の識別子を含み、
前記アクセスネットワーク機器が前記ネットワークノード情報に基づき、ネットワークノードを確定することは、
前記アクセスネットワーク機器は、前記ネットワークノード情報及び前記ページング領域と前記ネットワークノードとの対応関係に基づき、前記ページング領域に対応する前記ネットワークノードを確定することを含むことを特徴とする
請求項６に記載の方法。
【請求項９】
前記ネットワークノードがアンカーアクセスネットワーク機器又はコアネットワーク機器であることを特徴とする
請求項６〜８のいずれか１項に記載の方法。
【請求項１０】
端末装置であって、
前記端末装置がアクセスネットワーク機器との接続を回復又は確立するように要求するための接続回復要求メッセージを確定することに用いられ、前記接続回復要求メッセージがネットワークノードを示すためのネットワークノード情報を含み、前記ネットワークノードに前記ネットワークノードのカバレッジ範囲内のすべての端末装置のコンテキスト設定情報が保存され、前記端末装置が前記ネットワークノードのカバレッジ範囲内にある確定ユニットと、
前記アクセスネットワーク機器へ前記接続回復要求メッセージを送信するための送信ユニットと、を備えることを特徴とする、前記端末装置。
【請求項１１】
前記ネットワークノード情報は、前記ネットワークノードの識別子であることを特徴とする
請求項１０に記載の端末装置。
【請求項１２】
前記ネットワークノード情報は、前記端末装置の所在するページング領域の識別子を含み、前記ページング領域と前記ネットワークノードとが対応関係を有することを特徴とする
請求項１０に記載の端末装置。
【請求項１３】
前記端末装置は、更に、
前記ネットワークノードから送信された前記ネットワークノード情報を受信するための受信ユニットを備えることを特徴とする
請求項１０〜１２のいずれか１項に記載の端末装置。
【請求項１４】
前記ネットワークノードがアンカーアクセスネットワーク機器又はコアネットワーク機器であることを特徴とする
請求項１０〜１３のいずれか１項に記載の端末装置。
【請求項１５】
アクセスネットワーク機器であって、
端末装置から送信された、前記端末装置が前記アクセスネットワーク機器との接続を回復又は確立するように要求するための接続回復要求メッセージを受信することに用いられ、前記接続回復要求メッセージがネットワークノード情報を含む、受信ユニットと、
前記ネットワークノード情報に基づき、ネットワークノードを確定することに用いられ、前記ネットワークノードが、前記ネットワークノードのカバレッジ範囲内のすべての端末装置のコンテキスト設定情報を保存することに用いられ、前記端末装置が前記ネットワークノードのカバレッジ範囲内にあり、前記コンテキスト設定情報が、前記アクセスネットワーク機器と前記端末装置との接続を回復又は確立することに用いられる確定ユニットと、
前記ネットワークノードから前記コンテキスト設定情報を取得するための取得ユニットと、を備えることを特徴とする、前記アクセスネットワーク機器。
【請求項１６】
前記ネットワークノード情報は、前記ネットワークノードの識別子であることを特徴とする
請求項１５に記載のアクセスネットワーク機器。
【請求項１７】
前記ネットワークノード情報は、前記端末装置の所在するページング領域の識別子を含み、
前記確定ユニットは、具体的に、
前記ネットワークノード情報及び前記ページング領域と前記ネットワークノードとの対応関係に基づき、前記ページング領域に対応する前記ネットワークノードを確定することに用いられることを特徴とする
請求項１５に記載のアクセスネットワーク機器。
【請求項１８】
前記ネットワークノードがアンカーアクセスネットワーク機器又はコアネットワーク機器であることを特徴とする
請求項１５〜１７のいずれか１項に記載のアクセスネットワーク機器。
【発明の詳細な説明】
【技術分野】
【０００１】
本願は通信分野に関し、特にコンテキスト設定情報の取得方法、端末装置及びアクセスネットワーク機器に関する。
【背景技術】
【０００２】
端末装置がいくつかの特定状態、例えば非アクティブ状態、サスペンド状態又は接続維持状態にあるとき、端末装置が予め設定されたページング領域内を移動する際に、ネットワーク機器に通知する必要がない。該ページング領域内に１つ又は複数のアクセスネットワーク機器が含まれてもよく、その中の１つのアクセスネットワーク機器がアンカーアクセスネットワーク機器であり、該アンカーアクセスネットワーク機器に端末装置のコンテキスト設定情報が保存され、更にアクセスネットワーク機器とコアネットワーク機器との接続設定等の情報が保存されてもよい。端末装置がアップリンクデータを送信しようとする場合、該端末装置が該アクセスネットワーク機器とデータを伝送するために、滞在するページング領域内の任意のアクセスネットワーク機器に接続回復要求メッセージを送信することができる。
【０００３】
しかしながら、端末装置がアクセスネットワーク機器へ接続回復要求メッセージを送信し、該アクセスネットワーク機器に該端末装置のコンテキスト設定情報がなければ、接続を回復できない。
【発明の概要】
【発明が解決しようとする課題】
【０００４】
本願は端末装置とアクセスネットワーク機器との接続の回復又は確立を実現することのできるコンテキスト設定情報の取得方法、端末装置及びアクセスネットワーク機器を提供する。
【課題を解決するための手段】
【０００５】
第１態様に係るコンテキスト設定情報の取得方法であって、端末装置は該端末装置がアクセスネットワーク機器との接続を回復又は確立するように要求するための接続回復要求メッセージを確定し、接続回復要求メッセージがネットワークノードを示すためのネットワークノード情報を含み、該ネットワークノードに該ネットワークノードのカバレッジ範囲内のすべての端末装置のコンテキスト設定情報が保存され、該端末装置が該ネットワークノードのカバレッジ範囲内にあることと、該端末装置は、該アクセスネットワーク機器へ該接続回復要求メッセージを送信することと、を含む。
【０００６】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれるため、該アクセスネットワーク機器が該ネットワークノード情報に基づき、ネットワークノードから該端末装置のコンテキスト設定情報を取得することができ、それにより該アクセスネットワーク機器と該端末装置との接続の回復又は確立を実現する。
【０００７】
端末装置が特定状態にあるとき、例えば該端末装置が非アクティブ状態、サスペンド状態又は接続維持状態にあるとき、該端末装置がアップリンクデータを送信しようとする場合、端末装置は接続回復要求メッセージを確定し、アクセスネットワーク機器へ該接続回復要求メッセージを送信することにより、接続を回復又は確立するように要求することができると理解すべきである。
【０００８】
端末装置は滞在するページング領域内の任意のアクセスネットワーク機器に接続回復要求メッセージを送信することができると理解すべきである。該ページング領域はコアネットワーク機器が該端末装置に予め設定したページング領域であってもよく、該ページング領域内に１つ又は複数のアクセスネットワーク機器が含まれてもよく、その中の１つのアクセスネットワーク機器がアンカーアクセスネットワーク機器であり、該アンカーアクセスネットワーク機器に該ページング領域内のすべての端末装置のコンテキスト設定情報が保存される。
【０００９】
第１態様及びその上記実現方式を参照して、第１態様の他の実現方式では、該ネットワークノードがアンカーアクセスネットワーク機器又はコアネットワーク機器である。
【００１０】
第１態様を参照して、第１態様の実現方式では、該ネットワークノード情報が該ネットワークノードの識別子である。
【００１１】
例えば、該ネットワークノードがアンカーアクセスネットワーク機器である場合、該ネットワークノード情報が該アンカーアクセスネットワーク機器の情報、例えば該アンカーアクセスネットワーク機器の識別子であってもよい。
【００１２】
第１態様及びその上記実現方式を参照して、第１態様の他の実現方式では、該ネットワークノード情報が該端末装置の所在するページング領域の識別子を含み、該ページング領域と該ネットワークノードとが対応関係を有する。
【００１３】
例えば、該ページング領域の識別子がローカルアクセスネットワークＲＡＮであってもよい。
【００１４】
第１態様及びその上記実現方式を参照して、第１態様の他の実現方式では、該方法は、更に、該端末装置が該ネットワークノードから送信された該ネットワークノード情報を受信することを含む。
【００１５】
第１態様及びその上記実現方式を参照して、第１態様の他の実現方式では、該端末装置は、該アクセスネットワーク機器へ該接続回復要求メッセージを送信した後、該方法は、更に、該端末装置と該アクセスネットワーク機器とが接続を回復又は確立することを含む。
【００１６】
第２態様に係るコンテキスト設定情報の取得方法であって、アクセスネットワーク機器は、端末装置から送信された、該端末装置が該アクセスネットワーク機器との接続を回復又は確立するように要求するための接続回復要求メッセージを受信し、接続回復要求メッセージがネットワークノード情報を含むことと、該アクセスネットワーク機器は、該ネットワークノード情報に基づき、ネットワークノードを確定し、該ネットワークノードが該ネットワークノードのカバレッジ範囲内のすべての端末装置のコンテキスト設定情報を保存することに用いられ、該端末装置が該ネットワークノードのカバレッジ範囲内にあり、該コンテキスト設定情報は該アクセスネットワーク機器と該端末装置との接続を回復又は確立することに用いられることと、該アクセスネットワーク機器が該ネットワークノードから該コンテキスト設定情報を取得することと、を含む。
【００１７】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれ、該アクセスネットワーク機器が該ネットワークノード情報に基づき、ネットワークノードから該端末装置のコンテキスト設定情報を取得し、それにより該アクセスネットワーク機器と該端末装置との接続の回復又は確立を実現する。
【００１８】
第２態様を参照して、第２態様の実現方式では、該ネットワークノード情報が該ネットワークノードの識別子である。
【００１９】
第２態様及びその上記実現方式を参照して、第２態様の他の実現方式では、該ネットワークノード情報が該端末装置の所在するページング領域の識別子を含み、該アクセスネットワーク機器が該ネットワークノード情報に基づき、ネットワークノードを確定することは、該アクセスネットワーク機器が該ネットワークノード情報及び該ページング領域と該ネットワークノードとの対応関係に基づき、該ページング領域に対応する該ネットワークノードを確定することを含む。
【００２０】
第２態様及びその上記実現方式を参照して、第２態様の他の実現方式では、該ネットワークノードがアンカーアクセスネットワーク機器又はコアネットワーク機器である。
【００２１】
第３態様に係る端末装置であって、上記第１態様又は第１態様の任意の可能な実現方式における方法を実行することに用いられる。具体的に、該端末装置は上記第１態様又は第１態様の任意の可能な実現方式における方法を実行するためのユニットを備える。
【００２２】
第４態様に係るアクセスネットワーク機器であって、上記第２態様又は第２態様の任意の可能な実現方式における方法を実行することに用いられる。具体的に、該アクセスネットワーク機器は上記第２態様又は第２態様の任意の可能な実現方式における方法を実行するためのユニットを備える。
【００２３】
第５態様に係る端末装置であって、記憶ユニット及びプロセッサを備え、該記憶ユニットが命令を記憶することに用いられ、該プロセッサが該メモリに記憶される命令を実行することに用いられ、該プロセッサが該メモリに記憶される命令を実行するとき、該実行によって該プロセッサが第１態様又は第１態様の任意の可能な実現方式における方法を実行する。
【００２４】
第６態様に係るアクセスネットワーク機器であって、記憶ユニット及びプロセッサを備え、該記憶ユニットが命令を記憶することに用いられ、該プロセッサが該メモリに記憶される命令を実行することに用いられ、該プロセッサが該メモリに記憶される命令を実行するとき、該実行によって該プロセッサが第２態様又は第２態様の任意の可能な実現方式における方法を実行する。
【００２５】
第７態様に係るコンピュータ可読媒体であって、コンピュータプログラムを記憶することに用いられ、該コンピュータプログラムが第１態様又は第１態様の任意の可能な実現方式における方法を実行するための命令を含む。
【００２６】
第８態様に係るコンピュータ可読媒体であって、コンピュータプログラムを記憶することに用いられ、該コンピュータプログラムが第２態様又は第２態様の任意の可能な実現方式における方法を実行するための命令を含む。
【図面の簡単な説明】
【００２７】
【図１】図１は本願の実施例に係るコンテキスト設定情報の取得方法の模式的なフローチャートである。
【図２】図２は本願の実施例に係るコンテキスト設定情報の取得方法の他の模式的なフローチャートである。
【図３】図３は本願の実施例に係る端末装置の模式的なブロック図である。
【図４】図４は本願の実施例に係るアクセスネットワーク機器の模式的なブロック図である。
【図５】図５は本願の実施例に係る端末装置の他の模式的なブロック図である。
【図６】図６は本願の実施例に係るアクセスネットワーク機器の他の模式的なブロック図である。
【発明を実施するための形態】
【００２８】
以下、図面を参照しながら、本発明の実施例の技術案を説明する。
【００２９】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、又はマイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム及び将来の５Ｇ通信システム等に適用されてもよいと理解すべきである。
【００３０】
本願は端末装置を参照して各実施例を説明する。端末装置はユーザー装置ＵＥ、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展するＰＬＭＮネットワークにおける端末装置等であってもよい。
【００３１】
本願はアクセスネットワーク機器を参照して各実施例を説明する。該アクセスネットワーク機器は端末装置と通信するための機器であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、該アクセスネットワーク機器は中継所、アクセスポイント、車載装置、ウェアラブルデバイス及び将来の５Ｇネットワークにおけるアクセスネットワーク機器又は将来発展するＰＬＭＮネットワークにおけるアクセスネットワーク機器等であってもよい。
【００３２】
図１には本願の実施例に係るコンテキスト設定情報の取得方法１００の模式的なフローチャートを示す。具体的に、該方法１００が端末装置により実行されてもよく、図１に示すように、該方法１００は、
端末装置が、ネットワークノードを示すためのネットワークノード情報を含む、該端末装置がアクセスネットワーク機器との接続を回復又は確立するように要求するための接続回復要求メッセージを確定し、前記ネットワークノードに前記ネットワークノードのカバレッジ範囲内のすべての端末装置のコンテキスト設定情報が保存され、前記端末装置が前記ネットワークノードのカバレッジ範囲内にあるＳ１１０と、
該端末装置は、該アクセスネットワーク機器へ該接続回復要求メッセージを送信するＳ１２０と、を含む。
【００３３】
具体的に、端末が特定状態、例えば非アクティブ状態、サスペンド状態又は接続維持状態にあるとき、アップリンクデータを伝送する必要がある場合、端末装置がアクセスネットワーク機器との接続を回復又は確立するように要求するための接続回復要求メッセージを所在するページング領域内のアクセスネットワーク機器に送信する。アクセスネットワーク機器が該接続回復要求メッセージを受信し、その中のネットワークノード情報に基づいてネットワークノードを確定するために、該接続回復要求メッセージにネットワークノード情報が含まれてもよく、該ネットワークノードに該ネットワークノードのカバレッジ範囲内のすべての端末装置のコンテキスト設定情報が保存され、該端末装置が該ネットワークノードのカバレッジ範囲内にある場合、アクセスネットワーク機器は該ネットワークノードから該端末装置のコンテキスト設定情報を取得し、該コンテキスト設定情報に基づき、アクセスネットワーク機器と端末装置との接続を回復又は確立して、データを伝送することができる。
【００３４】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれるため、該アクセスネットワーク機器が該ネットワークノード情報に基づき、ネットワークノードから該端末装置のコンテキスト設定情報を取得することができ、それにより該アクセスネットワーク機器と該端末装置との接続の回復又は確立を実現する。
【００３５】
Ｓ１１０では、該端末装置が特定状態にあるとき、該端末装置がアップリンクデータを送信しようとする場合、端末装置が接続回復要求メッセージを確定し、該特定状態は例えば該端末装置が非アクティブ状態、サスペンド状態又は接続維持状態等にあることを指してもよく、本願の実施例はこれに限らない。
【００３６】
Ｓ１２０では、該端末装置は、該アクセスネットワーク機器へ該接続回復要求メッセージを送信する。
【００３７】
本願の実施例において、特定状態にある該端末装置がアップリンクデータを送信しようとする場合、滞在するページング領域内の任意のアクセスネットワーク機器に接続回復要求メッセージを送信することができ、該端末装置と該アクセスネットワーク機器とが接続を回復又は確立してデータを伝送するために、該接続回復要求メッセージは該端末装置がアクセスネットワーク機器との接続を回復又は確立するように要求することに用いられる。
【００３８】
該ページング領域はコアネットワーク機器が該端末装置に予め設定したページング領域であってもよく、該ページング領域内に１つ又は複数のアクセスネットワーク機器が含まれてもよく、その中の１つのアクセスネットワーク機器がアンカーアクセスネットワーク機器であり、該アンカーアクセスネットワーク機器に該ページング領域内のすべての端末装置のコンテキスト設定情報が保存され、更に該アンカーアクセスネットワーク機器とコアネットワーク機器との接続設定等の情報が保存されてもよい。
【００３９】
本願の実施例において、端末装置はネットワークノード情報を含む、該アクセスネットワーク機器が該端末装置のコンテキスト設定情報を取得するための該接続回復要求メッセージをアクセスネットワーク機器に送信する。具体的に、アクセスネットワーク機器は該接続回復要求メッセージを受信し、該接続回復要求メッセージにおけるネットワークノード情報に基づいてネットワークノードを確定することができ、該ネットワークノードに該端末装置のコンテキスト設定情報が保存される場合、該アクセスネットワーク機器は該ネットワークノードから該端末装置のコンテキスト情報を取得することができ、該端末装置が該ネットワークノードのカバレッジ範囲内にあって、該ネットワークノードに該ネットワークノードのカバレッジ範囲内のすべての端末装置のコンテキスト設定情報が保存される。
【００４０】
該ネットワークノード情報はネットワークノードが該端末装置に設定したものであってもよく、つまり、端末装置はネットワークノードから送信された該ネットワークノード情報を受信することができると理解すべきである。
【００４１】
具体的に、該接続回復要求メッセージにおけるネットワークノード情報がネットワークノードを示すことに用いられ、該ネットワークノードに端末装置のコンテキスト設定情報が保存され、該ネットワークノードがコアネットワーク機器であってもよく、又は、該ネットワークノードが更に端末装置の所在するページング領域内のアンカーアクセスネットワーク機器であってもよい。該ネットワークノードがアンカーアクセスネットワーク機器である場合、該端末装置が該アンカーアクセスネットワーク機器のカバレッジ領域、すなわち該端末装置の所在するページング領域に属し、該アンカーアクセスネットワーク機器に該ページング領域内のすべての端末装置のコンテキスト設定情報が保存される。該ネットワークノードがコアネットワーク機器である場合、該端末装置が該コアネットワーク機器のカバレッジ領域に属し、同様に、該コアネットワーク機器に更に該コアネットワーク機器のカバレッジ領域内のすべての端末装置のコンテキスト設定情報が保存される。該コアネットワーク機器がモビリティ管理エンティティ（ＭＭＥ：Ｍｏｂｉｌｉｔｙ  Ｍａｎａｇｅｍｅｎｔ  Ｅｎｔｉｔｙ）であってもよく、本願の実施例はこれに限らない。
【００４２】
好ましくは、接続回復要求メッセージにおけるネットワークノード情報がネットワークノードの識別子であってもよく、例えば、該ネットワークノードがアンカーアクセスネットワーク機器である場合、該ネットワークノード情報が該アンカーアクセスネットワーク機器の情報、例えば該アンカーアクセスネットワーク機器の識別子であってもよい。
【００４３】
好ましくは、該接続回復要求メッセージにおけるネットワークノード情報が更に端末装置の所在するページング領域の識別子を含んでもよく、該ページング領域とネットワークノードとが対応関係を有する場合、アクセスネットワーク機器が該ネットワークノード情報を受信し、端末装置の所在するページング領域を確定し、該ページング領域とネットワークノードとの対応関係に基づき、ネットワークノードを確定する。例えば、該ページング領域の識別子が無線アクセスネットワーク（ＲＡＮ：Ｒａｄｉｏ  Ａｃｃｅｓｓ  Ｎｅｔｗｏｒｋ）領域の識別子であってもよい。
【００４４】
本願の実施例において、アクセスネットワーク機器が接続回復要求メッセージを受信し、該接続回復要求メッセージにおけるネットワークノード情報に基づき、ネットワークノードを確定する場合、該ネットワークノードから該端末装置のコンテキスト設定情報を取得することができ、該コンテキスト設定情報に基づき、該アクセスネットワーク機器は端末装置と接続を回復又は確立して、データを伝送することができる。
【００４５】
端末装置のコンテキスト設定情報が該端末装置のベアラ情報、接続情報及び割り当てリソースに関連する情報を含んでもよく、例えば、該端末装置のセキュリティキーの関連情報を含んでもよく、本願の実施例はこれに限らないと理解すべきである。
【００４６】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００４７】
図２には本発明の実施例に係るコンテキスト設定情報の取得方法２００の模式的なフローチャートを示し、該方法２００がアクセスネットワーク機器により実行されてもよい。図２に示すように、該方法２００は、
アクセスネットワーク機器が、端末装置から送信された、ネットワークノード情報を含む、該端末装置が該アクセスネットワーク機器との接続を回復又は確立するように要求するための接続回復要求メッセージを受信するＳ２１０と、
該アクセスネットワーク機器は、該ネットワークノード情報に基づき、ネットワークノードを確定し、該ネットワークノードが該ネットワークノードのカバレッジ範囲内のすべての端末装置のコンテキスト設定情報を保存することに用いられ、該端末装置が該ネットワークノードのカバレッジ範囲内にあり、該コンテキスト設定情報が該アクセスネットワーク機器と該端末装置との接続を回復又は確立することに用いられるＳ２２０と、
該アクセスネットワーク機器が該ネットワークノードから該コンテキスト設定情報を取得するＳ２３０と、を含む。
【００４８】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれ、該アクセスネットワーク機器が該ネットワークノード情報に基づき、ネットワークノードから該端末装置のコンテキスト設定情報を取得し、それにより該アクセスネットワーク機器と該端末装置との接続の回復又は確立を実現する。
【００４９】
好ましくは、該ネットワークノード情報が該ネットワークノードの識別子である。
【００５０】
好ましくは、該ネットワークノード情報が該端末装置の所在するページング領域の識別子を含み、該アクセスネットワーク機器が該ネットワークノード情報に基づき、該端末装置に対応するネットワークノードを確定することは、該アクセスネットワーク機器が該ネットワークノード情報及び該ページング領域と該ネットワークノードとの対応関係に基づき、該ページング領域に対応する該ネットワークノードを確定することを含む。
【００５１】
好ましくは、該ネットワークノードがアンカーアクセスネットワーク機器又はコアネットワーク機器である。
【００５２】
本願の実施例におけるアクセスネットワーク機器は方法１００におけるアクセスネットワーク機器に対応し、方法１００におけるアクセスネットワーク機器に対応する方法を対応して実行することができ、ここで詳細な説明は省略すると理解すべきである。
【００５３】
従って、本願の実施例におけるコンテキスト設定情報の取得方法において、端末装置は所在するページング領域内の任意のアクセスネットワーク機器へ接続回復要求メッセージを送信することができ、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００５４】
本願の様々な実施例において、上記各過程の番号の順位は実行順序の前後を意味せず、各過程の実行順序はその機能及び内部論理によって確定されるべきであり、本願の実施例の実施過程を制限するためのものではないと理解すべきである。
【００５５】
以上は図１〜図２を参照しながら本願の実施例に係るコンテキスト設定情報の取得方法を詳しく説明したが、以下に図３〜図６を参照しながら本願の実施例に係るコンテキスト設定情報の取得装置を詳しく説明する。
【００５６】
図３には本願の実施例に係る端末装置３００を示し、該端末装置３００は、
ネットワークノードを示すためのネットワークノード情報を含む、該端末装置がアクセスネットワーク機器との接続を回復又は確立するように要求するための接続回復要求メッセージを確定することに用いられ、該ネットワークノードに該ネットワークノードのカバレッジ範囲内のすべての端末装置のコンテキスト設定情報が保存され、該端末装置が該ネットワークノードのカバレッジ範囲内にある確定ユニット３１０と、
該アクセスネットワーク機器へ該接続回復要求メッセージを送信するための送信ユニット３２０と、を備える。
【００５７】
従って、本願の実施例の端末装置は、所在するページング領域内の任意のアクセスネットワーク機器へ接続回復要求メッセージを送信することにより、接続を回復又は確立するように要求し、該接続回復要求メッセージにネットワークノード情報が含まれるため、該アクセスネットワーク機器が該ネットワークノード情報に基づき、ネットワークノードから該端末装置のコンテキスト設定情報を取得することができ、それにより該アクセスネットワーク機器と該端末装置との接続の回復又は確立を実現する。
【００５８】
好ましくは、該ネットワークノード情報が該ネットワークノードの識別子である。
【００５９】
好ましくは、該ネットワークノード情報が該端末装置の所在するページング領域の識別子を含み、該ページング領域と該ネットワークノードとが対応関係を有する。
【００６０】
好ましくは、該端末装置３００は、更に、該ネットワークノードから送信された該ネットワークノード情報を受信するための受信ユニット３３０を備える。
【００６１】
好ましくは、該ネットワークノードがアンカーアクセスネットワーク機器又はコアネットワーク機器である。
【００６２】
本願の実施例に係る端末装置３００は本願の実施例における方法１００を実行する装置に対応してもよく、端末装置３００における各ユニットの上記及び他の操作及び／又は機能はそれぞれ図１における方法の対応プロセスを実現するためのものであり、簡潔のため、ここで詳細な説明は省略すると理解すべきである。
【００６３】
従って、本願の実施例の端末装置は、所在するページング領域内の任意のアクセスネットワーク機器へ接続回復要求メッセージを送信することにより、接続を回復又は確立するように要求し、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００６４】
図４には本願の実施例に係るアクセスネットワーク機器４００を示し、該アクセスネットワーク機器４００は、
端末装置から送信された、ネットワークノード情報を含む、該端末装置が該アクセスネットワーク機器との接続を回復又は確立するように要求するための接続回復要求メッセージを受信するための受信ユニット４１０と、
該ネットワークノード情報に基づき、該ネットワークノードのカバレッジ範囲内のすべての端末装置のコンテキスト設定情報を保存するためのネットワークノードを確定し、該端末装置が該ネットワークノードのカバレッジ範囲内にあり、該コンテキスト設定情報が該アクセスネットワーク機器と該端末装置との接続を回復又は確立することに用いられる確定ユニット４２０と、
該ネットワークノードから該コンテキスト設定情報を取得するための取得ユニット４３０と、を備える。
【００６５】
従って、本願の実施例のアクセスネットワーク機器は、端末装置から送信された、接続を回復又は確立するように要求するための接続回復要求メッセージを受信し、該接続回復要求メッセージにネットワークノード情報が含まれるため、該アクセスネットワーク機器が該ネットワークノード情報に基づき、ネットワークノードから該端末装置のコンテキスト設定情報を取得することができ、該ネットワークノード情報で示すネットワークノードに該ネットワークノードのカバレッジ範囲内のすべての端末装置のコンテキスト設定情報が保存され、それにより該アクセスネットワーク機器と該端末装置との接続の回復又は確立を実現する。
【００６６】
好ましくは、該ネットワークノード情報が該ネットワークノードの識別子である。
【００６７】
好ましくは、該ネットワークノード情報が該端末装置の所在するページング領域の識別子を含み、該確定ユニット４２０は、具体的に、該ネットワークノード情報及び該ページング領域と該ネットワークノードとの対応関係に基づき、該ページング領域に対応する該ネットワークノードを確定することに用いられる。
【００６８】
好ましくは、該ネットワークノードがアンカーアクセスネットワーク機器又はコアネットワーク機器である。
【００６９】
本願の実施例に係るアクセスネットワーク機器４００は本願の実施例における方法２００を実行する機器に対応してもよく、アクセスネットワーク機器４００における各ユニットの上記及び他の操作及び／又は機能はそれぞれ図２における方法の対応プロセスを実現するためのものであり、簡潔のため、ここで詳細な説明は省略すると理解すべきである。
【００７０】
従って、本願の実施例のアクセスネットワーク機器は、端末装置から送信された、接続を回復又は確立するように要求するための接続回復要求メッセージを受信し、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００７１】
図５には本願の実施例に係る端末装置５００の模式的なブロック図を示し、図５に示すように、該端末装置５００はプロセッサ５１０及び送受信機５２０を備え、プロセッサ５１０が送受信機５２０に接続され、好ましくは、該端末装置５００は更にメモリ５３０を備え、メモリ５３０がプロセッサ５１０に接続される。プロセッサ５１０、メモリ５３０及び送受信機５２０が内部接続パスを介して互いに通信し、制御及び／又はデータ信号を伝送し、該メモリ５３０が命令を記憶することに用いられてもよく、送受信機５２０が情報又は信号を送信するように制御するために、該プロセッサ５１０が該メモリ５３０に記憶される命令を実行することに用いられ、該プロセッサ５１０は、ネットワークノードを示すためのネットワークノード情報を含む、該端末装置がアクセスネットワーク機器との接続を回復又は確立するように要求するための接続回復要求メッセージを確定することに用いられ、該ネットワークノードに該ネットワークノードのカバレッジ範囲内のすべての端末装置のコンテキスト設定情報が保存され、該端末装置が該ネットワークノードのカバレッジ範囲内にあり、該送受信機５２０は該アクセスネットワーク機器へ該接続回復要求メッセージを送信することに用いられる。
【００７２】
従って、本願の実施例の端末装置は、所在するページング領域内の任意のアクセスネットワーク機器へ接続回復要求メッセージを送信することにより、接続を回復又は確立するように要求し、該接続回復要求メッセージにネットワークノード情報が含まれるため、該アクセスネットワーク機器が該ネットワークノード情報に基づき、ネットワークノードから該端末装置のコンテキスト設定情報を取得することができ、それにより該アクセスネットワーク機器と該端末装置との接続の回復又は確立を実現する。
【００７３】
好ましくは、該ネットワークノード情報が該ネットワークノードの識別子である。
【００７４】
好ましくは、該ネットワークノード情報が該端末装置の所在するページング領域の識別子を含み、該ページング領域と該ネットワークノードとが対応関係を有する。
【００７５】
好ましくは、該送受信機５２０は該ネットワークノードから送信された該ネットワークノード情報を受信することに用いられる。
【００７６】
好ましくは、該ネットワークノードがアンカーアクセスネットワーク機器又はコアネットワーク機器である。
【００７７】
本願の実施例に係る端末装置５００は本願の実施例における端末装置３００に対応してもよく、本願の実施例に係る方法１００における対応する主要な部分を実行する装置に対応してもよく、端末装置５００における各ユニットの上記及び他の操作及び／又は機能はそれぞれ図１における各方法における端末装置の対応プロセスを実現するためのものであり、簡潔のため、ここで詳細な説明は省略すると理解すべきである。
【００７８】
従って、本願の実施例の端末装置は、所在するページング領域内の任意のアクセスネットワーク機器へ接続回復要求メッセージを送信することにより、接続を回復又は確立するように要求し、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００７９】
図６には本願の実施例に係るアクセスネットワーク機器６００の模式的なブロック図を示し、図６に示すように、該アクセスネットワーク機器６００はプロセッサ６１０及び送受信機６２０を備え、プロセッサ６１０が送受信機６２０に接続され、好ましくは、該アクセスネットワーク機器６００は更にメモリ６３０を備え、メモリ６３０がプロセッサ６１０に接続される。プロセッサ６１０、メモリ６３０及び送受信機６２０が内部接続パスを介して互いに通信し、制御及び／又はデータ信号を伝送し、該メモリ６３０が命令を記憶することに用いられてもよく、送受信機６２０が情報又は信号を送信するように制御するために、該プロセッサ６１０が該メモリ６３０に記憶される命令を実行することに用いられ、該送受信機６２０は、端末装置から送信された、ネットワークノード情報を含む、該端末装置が該アクセスネットワーク機器との接続を回復又は確立するように要求するための接続回復要求メッセージを受信することに用いられ、該プロセッサ６１０は、該ネットワークノード情報に基づき、該ネットワークノードのカバレッジ範囲内のすべての端末装置のコンテキスト設定情報を保存するためのネットワークノードを確定することに用いられ、該端末装置が該ネットワークノードのカバレッジ範囲内にあり、該コンテキスト設定情報は該アクセスネットワーク機器と該端末装置との接続を回復又は確立することに用いられ、該送受信機６２０は、更に、該ネットワークノードから該コンテキスト設定情報を取得することに用いられる。
【００８０】
従って、本願の実施例のアクセスネットワーク機器は、端末装置から送信された、接続を回復又は確立するように要求するための接続回復要求メッセージを受信し、該接続回復要求メッセージにネットワークノード情報が含まれるため、該アクセスネットワーク機器が該ネットワークノード情報に基づき、ネットワークノードから該端末装置のコンテキスト設定情報を取得することができ、該ネットワークノード情報で示すネットワークノードに該ネットワークノードのカバレッジ範囲内のすべての端末装置のコンテキスト設定情報が保存され、それにより該アクセスネットワーク機器と該端末装置との接続の回復又は確立を実現する。
【００８１】
好ましくは、該ネットワークノード情報が該ネットワークノードの識別子である。
【００８２】
好ましくは、該ネットワークノード情報が該端末装置の所在するページング領域の識別子を含み、該プロセッサ６１０は、該ネットワークノード情報及び該ページング領域と該ネットワークノードとの対応関係に基づき、該ページング領域に対応する該ネットワークノードを確定することに用いられる。
【００８３】
好ましくは、該ネットワークノードがアンカーアクセスネットワーク機器又はコアネットワーク機器である。
【００８４】
本願の実施例に係るアクセスネットワーク機器６００は本願の実施例におけるアクセスネットワーク機器４００に対応してもよく、本願の実施例に係る方法２００における対応する主要な部分を実行する機器に対応してもよく、アクセスネットワーク機器６００における各ユニットの上記及び他の操作及び／又は機能はそれぞれ図２における各方法におけるアクセスネットワーク機器の対応プロセスを実現するためのものであり、簡潔のため、ここで詳細な説明は省略すると理解すべきである。
【００８５】
従って、本願の実施例のアクセスネットワーク機器は、端末装置から送信された、接続を回復又は確立するように要求するための接続回復要求メッセージを受信し、該接続回復要求メッセージにネットワークノード情報が含まれ、該ネットワークノード情報で示すネットワークノードに該ネットワークノードのカバレッジ領域内のすべての端末装置のコンテキスト設定情報が保存される場合、該アクセスネットワーク機器は該ネットワークノード情報に基づき、ネットワークノードから該端末装置のコンテキスト設定情報を取得することができ、それにより該アクセスネットワーク機器と該端末装置との接続の回復又は確立を実現する。
【００８６】
本願の実施例におけるプロセッサは信号処理機能を有する集積回路チップであってもよいと理解される。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。
【００８７】
本願の実施例におけるメモリは揮発性メモリ又は不揮発性メモリであってもよく、又は、揮発性メモリ及び不揮発性メモリを含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含んでもよいが、それらに限らないように意図される。
【００８８】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【００８９】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【００９０】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００９１】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【００９２】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【００９３】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【００９４】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020519079.tif 000003
【図２】
2020519079.tif 000004
【図３】
2020519079.tif 000005
【図４】
2020519079.tif 000006
【図５】
2020519079.tif 000007
【図６】
2020519079.tif 000008
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
コンテキスト設定情報の取得方法であって、
端末装置は、前記端末装置がアクセスネットワーク機器との接続を回復又は確立するように要求するための接続回復要求メッセージを確定し、前記接続回復要求メッセージがネットワークノードを示すためのネットワークノード情報を含み、前記ネットワークノードに前記ネットワークノードのカバレッジ範囲内のすべての端末装置のコンテキスト設定情報が保存され、前記端末装置が前記ネットワークノードのカバレッジ範囲内にあることと、
前記端末装置は、前記アクセスネットワーク機器へ前記接続回復要求メッセージを送信することと、を含むことを特徴とする、前記コンテキスト設定情報の取得方法。
【請求項２】
前記ネットワークノード情報は、前記ネットワークノードの識別子であることを特徴とする
請求項１に記載の方法。
【請求項３】
前記ネットワークノード情報は、前記端末装置の所在するページング領域の識別子を含み、前記ページング領域と前記ネットワークノードとが対応関係を有することを特徴とする
請求項１に記載の方法。
【請求項４】
前記方法は、更に、
前記端末装置は、前記ネットワークノードから送信された前記ネットワークノード情報を受信することを含むことを特徴とする
請求項１〜３のいずれか１項に記載の方法。
【請求項５】
前記ネットワークノードがアンカーアクセスネットワーク機器又はコアネットワーク機器であることを特徴とする
請求項１〜４のいずれか１項に記載の方法。
【請求項６】
コンテキスト設定情報の取得方法であって、
アクセスネットワーク機器は、端末装置から送信された、前記端末装置が前記アクセスネットワーク機器との接続を回復又は確立するように要求するための接続回復要求メッセージを受信し、前記接続回復要求メッセージがネットワークノード情報を含む、ことと、
前記アクセスネットワーク機器は、前記ネットワークノード情報に基づき、ネットワークノードを確定し、前記ネットワークノードが、前記ネットワークノードのカバレッジ範囲内のすべての端末装置のコンテキスト設定情報を保存することに用いられ、前記端末装置が前記ネットワークノードのカバレッジ範囲内にあり、前記コンテキスト設定情報が、前記アクセスネットワーク機器と前記端末装置との接続を回復又は確立することに用いられることと、
前記アクセスネットワーク機器は、前記ネットワークノードから前記コンテキスト設定情報を取得することと、を含むことを特徴とする、前記コンテキスト設定情報の取得方法。
【請求項７】
前記ネットワークノード情報は、前記ネットワークノードの識別子であることを特徴とする
請求項６に記載の方法。
【請求項８】
前記ネットワークノード情報は、前記端末装置の所在するページング領域の識別子を含み、
前記アクセスネットワーク機器が前記ネットワークノード情報に基づき、ネットワークノードを確定することは、
前記アクセスネットワーク機器は、前記ネットワークノード情報及び前記ページング領域と前記ネットワークノードとの対応関係に基づき、前記ページング領域に対応する前記ネットワークノードを確定することを含むことを特徴とする
請求項６に記載の方法。
【請求項９】
前記ネットワークノードがアンカーアクセスネットワーク機器又はコアネットワーク機器であることを特徴とする
請求項６〜８のいずれか１項に記載の方法。
【請求項１０】
端末装置であって、
前記端末装置がアクセスネットワーク機器との接続を回復又は確立するように要求するための接続回復要求メッセージを確定することに用いられ、前記接続回復要求メッセージがネットワークノードを示すためのネットワークノード情報を含み、前記ネットワークノードに前記ネットワークノードのカバレッジ範囲内のすべての端末装置のコンテキスト設定情報が保存され、前記端末装置が前記ネットワークノードのカバレッジ範囲内にある確定ユニットと、
前記アクセスネットワーク機器へ前記接続回復要求メッセージを送信するための送信ユニットと、を備えることを特徴とする、前記端末装置。
【請求項１１】
前記ネットワークノード情報は、前記ネットワークノードの識別子であることを特徴とする
請求項１０に記載の端末装置。
【請求項１２】
前記ネットワークノード情報は、前記端末装置の所在するページング領域の識別子を含み、前記ページング領域と前記ネットワークノードとが対応関係を有することを特徴とする
請求項１０に記載の端末装置。
【請求項１３】
前記端末装置は、更に、
前記ネットワークノードから送信された前記ネットワークノード情報を受信するための受信ユニットを備えることを特徴とする
請求項１０〜１２のいずれか１項に記載の端末装置。
【請求項１４】
前記ネットワークノードがアンカーアクセスネットワーク機器又はコアネットワーク機器であることを特徴とする
請求項１０〜１３のいずれか１項に記載の端末装置。
【請求項１５】
アクセスネットワーク機器であって、
請求項６〜９のいずれか１項に記載の方法を実行するように構成される前記アクセスネットワーク機器。
【国際調査報告】
2020519079.tif 000009
2020519079.tif 000010
2020519079.tif 000011
2020519079.tif 000012